(57)【要約】【課題】受動的な情報取得を行う場合の利便性を向上可能な、表示装置、表示システム、表示方法およびプログラムを提供する。【解決手段】映像情報および制御情報をＳＴＢ２００から受信するＨＤＭＩ伝送部１２７と、ＳＴＢから受信された映像情報を表示領域Ａ０の少なくとも一部に表示するディスプレイ１３５と、ＳＴＢから受信された制御情報に基づいて、表示領域の一部をなす部分表示領域Ａ１１に関する映像情報の表示を制御するとともに、部分表示領域以外の領域Ｌ１に関する表示機能の実行を抑制するＣＰＵ１０１と、を備える。これにより、受動的な情報取得を行う場合に、対話型サービスの映像情報を部分表示領域に表示し、部分表示領域以外の領域に関する表示機能の実行を抑制することで、不要な映像情報の表示が抑制される。【選択図】図１
2011030081.tif 000002
【特許請求の範囲】
【請求項１】
映像情報および制御情報を外部装置から受信する通信部と、
前記外部装置から受信された映像情報を表示領域の少なくとも一部に表示する表示部と、
前記外部装置から受信された制御情報に基づいて、前記表示領域の一部をなす部分表示領域に関する前記映像情報の表示を制御するとともに、前記部分表示領域以外の領域に関する表示機能の実行を抑制する制御部と、
を備える表示装置。
【請求項２】
前記制御部は、前記外部装置から部分表示モードの指示が受信されると、前記表示領域上の前記部分表示領域以外の領域に対応するバックライトの出力を抑制する、請求項１に記載の表示装置。
【請求項３】
前記制御部は、前記外部装置から部分表示モードの指示が受信されると、前記部分表示領域以外の領域に対応する画素の駆動電圧が抑制されるように、画像データの生成を制御する、請求項１に記載の表示装置。
【請求項４】
前記表示領域上の異なる領域が前記部分表示領域として周期的に設定される、請求項１に記載の表示装置。
【請求項５】
前記通信部は、前記部分表示領域の論理解像度および物理サイズを表す表示領域情報を前記外部装置に送信し、前記表示領域情報に基づいて調整された画像情報を前記外部装置から受信し、
前記表示部は、前記調整された画像情報を前記部分表示領域に表示する、請求項１に記載の表示装置。
【請求項６】
前記通信部は、前記表示領域情報に基づいて、画像のサイズ、画像中の文字サイズ、画像のレイアウト、前記画像情報を構成する画像のうち少なくともいずれかが調整された画像情報を前記外部装置から受信する、請求項５に記載の表示装置。
【請求項７】
前記表示領域は、主画面表示領域と、前記表示領域上に固定された前記部分表示領域からなる副画面表示領域とに区分され、
前記制御部は、前記外部装置から副画面表示モード指示が受信されると、前記主画面表示領域に対応するバックライトの出力を抑制する、請求項１に記載の表示装置。
【請求項８】
前記制御部は、前記外部装置から副画面表示モード指示が受信されると、前記主画面表示領域に対応する画素の駆動を実行しないように制御する、請求項７に記載の表示装置。
【請求項９】
前記主画面表示領域および前記副画面表示領域の画素は、１のガラス基板からなる表示パネル上に配置される、請求項７に記載の表示装置。
【請求項１０】
前記主画面表示領域に対応するバックライトと前記副画面表示領域に対応するバックライトは、互いに異なる光源からなる、請求項７に記載の表示装置。
【請求項１１】
前記主画面表示領域に対応するバックライトがランプであり、前記副画面表示領域に対応するバックライトがＬＥＤである、請求項１０に記載の表示装置。
【請求項１２】
前記主画面表示領域に対応するバックライトと前記副画面表示領域に対応するバックライトの間には、遮光板が配置される、請求項７に記載の表示装置。
【請求項１３】
前記外部装置がネットワーク接続機器である、請求項１に記載の表示装置。
【請求項１４】
表示装置および外部装置を有する表示システムであって、
前記外部装置は、映像情報および制御情報を前記表示装置に送信し、
前記表示装置は、
前記映像情報および前記制御情報を前記外部装置から受信する通信部と、
前記外部装置から受信された映像情報を表示領域の少なくとも一部に表示する表示部と、
前記外部装置から受信された制御情報に基づいて、前記表示領域の一部をなす部分表示領域に関する前記映像情報の表示を制御するとともに、前記部分表示領域以外の領域に関する表示機能の実行を抑制する制御部と、
を備える、表示システム。
【請求項１５】
映像情報および制御情報を外部装置から受信するステップと、
表示領域の一部をなす部分表示領域に関する前記映像情報の表示を前記制御情報に基づいて制御するとともに、前記部分表示領域以外の領域に関する表示機能の実行を抑制するステップと、
を含む表示方法。
【請求項１６】
映像情報および制御情報を外部装置から受信するステップと、
表示領域の一部をなす部分表示領域に関する前記映像情報の表示を前記制御情報に基づいて制御するとともに、前記部分表示領域以外の領域に関する表示機能の実行を抑制するステップと、
を含む表示方法をコンピュータに実行させるためのプログラム。
【発明の詳細な説明】
【技術分野】
【０００１】
本発明は、表示装置、表示システム、表示方法およびプログラムに関する。
【背景技術】
【０００２】
今日、双方向ネットワークを利用することで、映像配信サービスと併せて、対話型サービスを提供可能なＩＰＴＶ（Ｉｎｔｅｒｎｅｔ  Ｐｒｏｔｏｃｏｌ  Ｔｅｌｅｖｉｓｉｏｎ）システム、ＣＡＴＶシステムが知られている。例えばＩＰＴＶシステムは、ＩＭＳ（ＩＰ  Ｍｕｌｔｉｍｅｄｉａ  Ｓｕｂｓｙｓｔｅｍ）を利用することで、インスタントメッセージ機能、チャット機能、プレゼンス機能等の対話型サービスを、ＩＰマルチキャスト、ＶＯＤ（Ｖｉｄｅｏ  Ｏｎ  Ｄｅｍａｎｄ）等の映像配信サービスと統合して提供できる。
【０００３】
ＩＰＴＶシステムに含まれる表示装置は、表示領域に配信コンテンツの映像情報を表示するとともに、表示領域の一部をなす部分表示領域に対話型サービスの映像情報を表示する。これにより、ユーザーは、コンテンツを視聴しながら、他のユーザー等との間でメッセージ機能等の対話型サービスを利用できる。
【先行技術文献】
【特許文献】
【０００４】
【特許文献１】特開平３−１９８０２６号公報
【特許文献２】特開平５−１９６９１５号公報
【発明の概要】
【発明が解決しようとする課題】
【０００５】
しかし、対話型サービスは、映像配信サービスと併用する形態で利用される以外に、映像配信サービスを伴わずに、メッセージ受信等、受動的な情報取得のみ行う形態でも利用される。そして、例えば、メッセージ受信状況をリアルタイムで確認する場合に、ユーザーは、コンテンツ視聴の必要性の有無にかかわらず、表示装置を長時間に亘って起動しておく必要がある。
【０００６】
このため、コンテンツ視聴を必要としない場合には、表示装置に表示されているコンテンツが目障りに感じられたり、表示装置の消費電力が増加したりする。よって、受動的な情報取得を行う場合には、表示装置の利便性が低下してしまう。
【０００７】
そこで、本発明は、受動的な情報取得を行う場合の利便性を向上可能な、表示装置、表示システム、表示方法およびプログラムを提供しようとするものである。
【課題を解決するための手段】
【０００８】
本発明の第１の観点によれば、映像情報および制御情報を外部装置から受信する通信部と、外部装置から受信された映像情報を表示領域の少なくとも一部に表示する表示部と、外部装置から受信された制御情報に基づいて、表示領域の一部をなす部分表示領域に関する映像情報の表示を制御するとともに、部分表示領域以外の領域に関する表示機能の実行を抑制する制御部と、を備える表示装置が提供される。
【０００９】
ここで、上記制御部は、外部装置から部分表示モードの指示が受信されると、表示領域上の部分表示領域以外の領域に対応するバックライトの出力を抑制してもよい。また、上記制御部は、部分表示領域以外の領域に対応する画素の駆動電圧が抑制されるように、画像データの生成を制御してもよい。
【００１０】
また、上記表示領域上の異なる領域が部分表示領域として周期的に設定されてもよい。
【００１１】
また、上記通信部は、部分表示領域の論理解像度および物理サイズを表す表示領域情報を外部装置に送信し、表示領域情報に基づいて調整された画像情報を外部装置から受信し、表示部は、調整された画像情報を部分表示領域に表示してもよい。ここで、上記通信部は、表示領域情報に基づいて、画像のサイズ、画像中の文字サイズ、画像のレイアウト、画像情報を構成する画像のうち少なくともいずれかが調整された画像情報を外部装置から受信してもよい。
【００１２】
また、上記表示領域は、主画面表示領域と、表示領域上に固定された部分表示領域からなる副画面表示領域とに区分され、制御部は、外部装置から副画面表示モード指示が受信されると、主画面表示領域に対応するバックライトの出力を抑制してもよい。ここで、上記制御部は、外部装置から副画面表示モード指示が受信されると、主画面表示領域に対応する画素の駆動を実行しないように制御してもよい。
【００１３】
また、上記主画面表示領域および副画面表示領域の画素は、１のガラス基板からなる表示パネル上に配置されてもよい。
【００１４】
また、上記主画面表示領域に対応するバックライトと副画面表示領域に対応するバックライトは、互いに異なる光源からなるようにしてもよい。ここで、上記主画面表示領域に対応するバックライトがランプであり、副画面表示領域に対応するバックライトがＬＥＤであるようにしてもよい。
【００１５】
また、上記主画面表示領域に対応するバックライトと副画面表示領域に対応するバックライトの間には、遮光板が配置されてもよい。
【００１６】
また、上記外部装置は、ネットワーク接続機器でもよい。
【００１７】
また、本発明の第２の観点によれば、第１の観点による表示装置と、映像情報および制御情報を表示装置に送信する外部装置を有するシステムが提供される。
【００１８】
また、本発明の第３の観点によれば、映像情報および制御情報を外部装置から受信するステップと、表示領域の一部をなす部分表示領域に関する映像情報の表示を制御情報に基づいて制御するとともに、部分表示領域以外の領域に関する表示機能の実行を抑制するステップと、を含む表示方法が提供される。
【００１９】
また、本発明の第４の観点によれば、第３の観点による表示方法をコンピュータに実行させるためのプログラムが提供される。
【発明の効果】
【００２０】
本発明によれば、受動的な情報取得を行う場合の利便性を向上可能な、表示装置、表示システム、表示方法およびプログラムを提供することができる。
【図面の簡単な説明】
【００２１】
【図１】本発明の実施形態に係る表示装置の概要を示す図である。
【図２】ＩＭＳを利用したＩＰＴＶサービスのアーキテクチャを示すブロック図である。
【図３】ＳＴＢの主要な構成を示すブロック図である。
【図４】ＴＶの主要な構成を示すブロック図である。
【図５】図４に示すディスプレイの構成を示す斜視図である。
【図６】本発明の第１の実施形態に係る表示方法の一例を示す図である。
【図７】本発明の第１の実施形態に係るＴＶのＬＣＤパネル周辺の構成を示すブロック図である。
【図８】ＨＤＭＩの構成を示すブロック図である。
【図９】映像フォーマットの識別情報を示す図である。
【図１０Ａ】ＣＥＣのデータ構造を示す図である。
【図１０Ｂ】ＣＥＣのデータ構造（ヘッダブロック）を示す図である。
【図１０Ｃ】ＣＥＣのデータ構造（データブロック）を示す図である。
【図１１】ＣＥＣの規定コマンドを示す図である。
【図１２】ＣＥＣの拡張コマンドを示す図である。
【図１３】本発明の第１の実施形態に係る表示方法を示すシーケンス図である。
【図１４】本発明の第１の実施形態に係る表示方法の他の例を示す図である。
【図１５】本発明の第２の実施形態に係る表示方法の一例を示す図である。
【図１６】本発明の第２の実施形態に係るＴＶのＬＣＤパネル周辺の構成を示す平面図である。
【図１７】図１６に示す構成を示す部分断面図である。
【図１８】ＬＣＤパネル周辺の回路構成を示すブロック図である。
【図１９】図１８に示すゲート駆動回路を示す図である。
【図２０】主画面表示モードのゲート駆動走査を示すタイミング図である。
【図２１】副画面表示モードのゲート駆動走査を示すタイミング図である。
【図２２】全画面表示モードのゲート駆動走査を示すタイミング図である。
【発明を実施するための形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
［１．表示装置の概要］
図１は、本発明の実施形態に係る表示装置の概要を示す図である。図１に示すように、表示装置１００は、外部装置２００を介してＩＰＴＶサービス３００に接続される。
【００２４】
ＩＰＴＶサービス３００は、双方向ネットワークＮＷを利用し、映像配信サービスと併せて、メッセージ機能、チャット機能、プレゼンス機能等の対話型サービスをユーザーに提供する。表示装置１００は、テレビジョン受像機等であり、外部装置２００は、ＳＴＢ（Ｓｅｔ  Ｔｏｐ  Ｂｏｘ）等である。
【００２５】
ユーザーは、外部装置２００を介して表示装置１００を操作することで、配信コンテンツを視聴したり、メッセージ受信状況を確認したりする。表示装置１００は、表示領域Ａ１０にコンテンツの映像情報を表示し、表示領域Ａ１０の一部をなす部分表示領域Ａ１１に対話型サービスの映像情報を表示する。
【００２６】
表示装置１００は、ユーザーがコンテンツ視聴を必要とする場合に、表示領域Ａ１０の全領域Ｌ１、Ｌ２に関する表示機能を実行する。一方、表示装置１００は、ユーザーがコンテンツ視聴を必要としない場合に、表示領域Ａ１０のうち部分表示領域Ａ１１以外の領域Ｌ１に関する表示機能の実行を抑制する。
【００２７】
これにより、受動的な情報取得を行う場合に、対話型サービスの映像情報を部分表示領域Ａ１１に表示し、部分表示領域Ａ１１以外の領域Ｌ１に関する表示機能の実行を抑制することで、不要な映像情報の表示が抑制される。
【００２８】
［２．表示システムの構成］
本発明の実施形態に係る表示システムは、ＩＭＳを利用したＩＰＴＶサービス３００のアーキテクチャを利用する。図２は、ＩＭＳを利用したＩＰＴＶサービス３００の構成を示すブロック図である。
【００２９】
ＩＭＳネットワーク１は、ＳＩＰ（Ｓｅｓｓｉｏｎ  Ｉｎｉｔｉａｔｉｏｎ  Ｐｒｏｔｏｃｏｌ）に基づくＣＳＣＦ（Ｃａｌｌ  Ｓｅｓｓｉｏｎ  Ｃｏｎｔｒｏｌ  Ｆｕｎｃｔｉｏｎ）３を中心として、ＨＳＳ（Ｈｏｍｅ  Ｓｕｂｓｃｒｉｂｅｒ  Ｓｕｂｓｙｓｔｅｍ）５、ＡＳ（Ａｐｐｌｉｃａｔｉｏｎ  Ｓｅｒｖｅｒ）７、９等を含んで構成される。
【００３０】
ＩＭＳでは、携帯電話、ＴＶであるユーザー端末１０、１００は、ユーザーＩＤを設定した後、ＣＳＣＦ３にアクセスして、ユーザー端末１０、１００の登録、セッションの設定制御を行う。この過程で、ＨＳＳ５に登録されているユーザー設定情報に従って、ユーザー端末１０、１００が必要なサービスに加入しているかが判断される。ＡＳ７、９は、チャット機能、ＩＰＴＶ機能等の各サービスを実際に処理するサーバーである。
【００３１】
ＩＭＳを利用したサービスの一例であるチャット機能では、例えば携帯電話であるユーザー端末１０は、移動電話ネットワーク１１を介して、チャット機能を提供するＡＳ（チャット）７に接続する。そして、ユーザー端末１０は、登録済みユーザーグループの複数メンバーとの間で、ＡＳ（チャット）７を介してセッションを確立し、ＭＳＲＰ（Ｍｅｓｓａｇｅ  Ｓｅｓｓｉｏｎ  Ｒｅｌａｙ  Ｐｒｏｔｏｃｏｌ）を用いて、中継サーバー経由でメンバー間のチャットセッションを行う。
【００３２】
また、ＩＭＳを利用したサービスの他の例であるＩＰＴＶ機能では、例えばＴＶであるユーザー端末１００は、ＳＴＢ２００およびＲＧ（ＩＭＳゲートウェイ）１３を介して、ブロードバンドＩＰネットワーク１５上のＡＳ（ＩＰＴＶ）９に接続する。ＡＳ（ＩＰＴＶ）９は、サービスを行うＥＰＧ（Ｅｌｅｃｔｒｏｎｉｃ  Ｐｒｏｇｒａｍ  Ｇｕｉｄｅ）サーバー３０１およびコンテンツを配信する映像サーバー３０３と連携してＩＰＴＶ機能を実現する。
【００３３】
ホームネットワーク上では、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等の映像・音声入出力インターフェース規格を用いて、ＴＶ１００とＳＴＢ２００が接続される。
【００３４】
［２−１．外部装置の構成］
図３は、ＳＴＢ２００の主要な構成を示すブロック図である。外部装置であるＳＴＢ２００は、ＣＰＵ２０１、ＲＯＭ２０３、ＲＡＭ２０５、ネットワークＩ／Ｆ２０７、赤外線受光部２０９、グラフィック制御部２１１、ＶＲＡＭ２１３、ＭＰＥＧデコーダ２１５、映像合成部２１７、ＨＤＭＩ伝送部２１９、電源供給部２２１、システムバス２２３を含んで構成される。
【００３５】
ＣＰＵ２０１は、ＲＯＭ２０３に記憶されている処理プログラムをＲＡＭ２０５上に展開して実行することで、ＳＴＢ２００全体を制御する。処理プログラムは、ＩＰＴＶサービス３００に対するアクセスに利用する通信プロトコル、ＥＰＧ等のユーザーインターフェースの制御に利用するアプリケーションを含む。
【００３６】
ネットワークＩ／Ｆ２０７は、ＩＰＴＶサービス３００との通信に利用され、赤外線受光部２０９は、不図示のコマンダ等を通じて入力されるユーザーの指示をアプリケーションに伝達する。グラフィック制御部２１１は、ＥＰＧ等のグラフィカルユーザーインターフェース（ＧＵＩ）画像の生成に利用され、ＶＲＡＭ２１３は、グラフィック制御部２１１により処理される画像データを記憶する。
【００３７】
ＭＰＥＧデコーダ２１５は、ＭＰＥＧ等の圧縮方式で圧縮されて配信されたコンテンツを復号する。映像合成部２１７は、グラフィック制御部２１１の出力および復号された映像データを合成する。これにより、透過度の設定に応じて、コンテンツの映像情報にＧＵＩ画像が重畳して表示される。ＨＤＭＩ伝送部２１９は、ＭＰＥＧデコーダ２１５および映像合成部２１７による処理後の映像音声信号をＴＶ１００に出力し、電源供給部２２１は、各部に電源を供給する。
【００３８】
［２−２．表示装置の構成］
図４は、ＴＶ１００の主要な構成を示すブロック図である。図５は、図４に示すディスプレイ１３５の構成を示す斜視図である。
【００３９】
表示装置であるＴＶ１００は、ＬＣＤ（Ｌｉｑｕｉｄ  Ｃｒｙｓｔａｌ  Ｄｉｓｐｌａｙ）方式のテレビである。ＴＶ１００は、ＣＰＵ１０１、ＲＯＭ１０３、ＲＡＭ１０５、ネットワークＩ／Ｆ１０７、赤外線受光部１０９、グラフィック制御部１１１、ＶＲＡＭ１１３、ＭＰＥＧデコーダ１１５を含んで構成される。ＴＶ１００は、アナログチューナ１１７、デジタルチューナ１１９とともに、アナログ入力部１２１、映像デコーダ１２３、音声Ａ／Ｄ１２５、ＨＤＭＩ伝送部１２７、映像処理部１２９、音声処理部１３１、表示制御部１３３、ディスプレイ１３５、音声アンプ１３７、スピーカー１３９、バックライト制御部１４１、電源供給部１４３、システムバス１４５を含んで構成される。
【００４０】
アナログ入力部１２１は、外部機器からのアナログ映像音声信号の入力に利用される。映像デコーダ１２３および音声Ａ／Ｄ１２５は、アナログ映像音声信号をデジタル信号に変換する。ＨＤＭＩ伝送部１２７は、ＳＴＢ２００からのデジタル映像音声信号の入力に利用される。
【００４１】
チューナ１１７、１１９、アナログ入力部１２１、またはＨＤＭＩ伝送部１２７から入力された映像音声信号は、直接的または間接的に、映像処理部１２９および音声処理部１３１に入力され、ユーザーにより指示された映像音声信号が表示制御部１３３および音声アンプ１３７に出力される。
【００４２】
映像処理部１２９は、映像データに対応する映像情報を表示領域Ａ１０上の所定の領域に表示するために、映像データをスケーリング処理する。なお、スケーリング処理は、２画面表示モード、子画面表示モード等による映像情報の表示に従来利用されている技術である。
【００４３】
表示制御部１３３は、映像処理部１２９から入力された映像信号の垂直・水平同期信号に基づいて、画素駆動用のタイミング信号および映像データ信号を生成し、ディスプレイ１３５に供給する。
【００４４】
ディスプレイ１３５は、図５に示すように、ＬＣＤパネル１５１、光学フィルム１５３（１５３ａ〜１５３ｄ）、バックライトをなす冷陰極管ランプ群１５５、反射板１５７を含んで構成される。ＬＣＤパネル１５１のガラス基板（不図示）には、いずれも不図示の画素駆動用回路およびバックライト駆動用回路が実装される。光学フィルム１５３は、バックライト光の拡散等を光学的に調整する。反射板１５７は、バックライト光をＬＣＤパネル１５１側に反射する。
【００４５】
表示制御部１３３は、画素駆動用回路を制御するとともに、バックライト全体の光量を調整する信号をバックライト駆動用回路に供給する。バックライトの調光信号は、ディスプレイ１３５の輝度設定値および映像信号特性に基づいて、映像処理部１２９により生成される。
【００４６】
ＨＤＭＩ伝送部１２７は、映像情報および制御情報をＳＴＢ２００から受信する。ディスプレイ１３５は、映像情報を表示領域Ａ１０の少なくとも一部に表示する。ＣＰＵ１０１は、ＲＯＭ１０３に記憶されている処理プログラムをＲＡＭ１０５上に展開して実行することで、ＴＶ１００全体を制御する。処理プログラムは、本発明に係る表示方法を実行するためのアプリケーションを含む。ＣＰＵ１０１は、制御情報に基づいて、部分表示領域Ａ１１に関する映像情報の表示を制御するとともに、部分表示領域Ａ１１以外の領域に対応する表示機能の実行を抑制する。
【００４７】
［３．第１の実施形態］
図６は、本発明の第１の実施形態に係る表示方法の一例を示す図である。第１の実施形態に係るＴＶ１００は、全体表示モードおよび部分表示モードからなる２の表示モードを有する。
【００４８】
全体表示モードでは、ディスプレイ１５１の表示領域Ａ１０に映像情報が表示され、部分表示モードでは、表示領域Ａ１０の一部をなす部分表示領域Ａ１１に映像情報が表示される。映像情報は、ＩＰＴＶサービス３００からＳＴＢ２００を介して入力される。例えば、部分表示領域Ａ１１は、表示領域Ａ１０が１９２０×１０８０画素（なお、ＲＧＢの３ＬＣＤ画素を１画素とする。）からなる場合に、表示領域Ａ１０の中央下部に３２０×２４０画素からなる領域として設定される。なお、部分表示領域Ａ１１は、水平方向画素数が全体表示領域Ａ１０と同一となるように設定されてもよい。
【００４９】
ＴＶ１００は、表示モードの変更をＳＴＢ２００から指示されると、ＣＰＵ１０１の制御により表示モードを変更する。ＳＴＢ２００は、コンテンツ視聴を必要とする場合に全体表示モードを指示し、コンテンツ視聴を必要とせず、メッセージ受信等、受動的な情報取得を行う場合に部分表示モードを指示する。そして、全体表示モードでは、領域Ｌ１、Ｌ２で、全体表示領域Ａ１０に対応するバッグライトの出力が通常通り（点灯）に行われる（バックライトが点灯される。）。部分表示モードでは、部分表示領域Ａ１１以外の領域Ｌ１では、対応するバックライトの出力を抑制することで映像情報の表示が抑制される。なお、対応するバックライトの出力が０（無点灯）とされてもよい。
【００５０】
［３−１．表示装置］
図７は、本発明の第１の実施形態に係るＴＶ１００のＬＣＤパネル１５１周辺の構成を示すブロック図である。ＬＣＤパネル１５１の背面には、バックライトをなす冷陰極管ランプ群１５５（以下では、ランプ群１５５とも称する。）を構成する複数の冷陰極管ランプ１５６（以下では、ランプ１５６とも称する。）がＬＣＤパネル１５１の垂直方向に配列される。
【００５１】
ランプ１５６は、映像処理部１２９から入力される調光信号に基づいて、ランプ１５６毎に設けられるインバータ回路１４７により駆動される。なお、インバータ回路１４７は、１のランプ１５６毎に設けられる代わりに、２以上のランプ１５６毎に設けられてもよい。
【００５２】
インバータ回路１４７は、バックライト制御部１４１を介して電源供給部１４３から電源供給される。ここで、バックライト制御部１４１は、全体表示モードでは、表示領域Ａ１０に対応するランプ１５６のインバータ回路１４７に通常の電源供給を行い、部分表示モードでは、部分表示領域Ａ１１以外の領域に対応するランプ１５６のインバータ回路１４７に対する電源供給を抑制する。
【００５３】
図７に示す例では、図６に対応するように、部分表示領域Ａ１１が表示領域Ａ１０の中央下部に設定されている。部分表示領域Ａ１１は、表示領域Ａ１０上の一定の領域に設定されてもよく、任意の領域に設定されてもよい。また、部分表示領域Ａ１１に対応するランプ１５６の劣化を防止するために、部分表示領域Ａ１１は、表示領域Ａ１０上の異なる領域に周期的に設定されてもよい。
【００５４】
［３−２．表示方法］
以下では、図８〜図１２を参照しながら、本発明の第１の実施形態に係る表示方法について説明する。本発明の実施形態に係る表示方法では、ＨＤＭＩ規格を拡張することで、ＨＤＭＩ接続されたＴＶ１００の表示モードの設定がＳＴＢ２００から変更される。
【００５５】
まず、ＨＤＭＩ規格について説明する。図８は、ＨＤＭＩの構成を示すブロック図であり、図９は、映像フォーマットの識別情報を示す図である。図１０は、ＣＥＣのデータ構造を示す図であり、図１１は、ＣＥＣの規定コマンドを示す図である。
【００５６】
図８に示すように、ＨＤＭＩ規格は、送信装置（ＨＤＭＩソース）５１と受信装置（ＨＤＭＩシンク）５３の間に、３のデータチャンネル５５（５５ａ、５５ｂ、５５ｃ）、クロックチャンネル５７、ディスプレイデータチャンネル（ＤＤＣ）５９、および家電制御（ＣＥＣ）ライン６１を規定している。
【００５７】
データチャンネル５５（５５ａ〜５５ｃ）およびクロックチャンネル５７は、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）と称する高速デジタル伝送を利用し、送信装置５１から受信装置５３への一方向通信を行う。ＤＤＣチャンネル５９は、表示制御用に主に利用され、ＣＥＣライン６１は、家電制御用に主に利用される。ＤＤＣチャンネル５９およびＣＥＣライン６１は、いずれもデータチャンネル５５およびクロックチャンネル５７よりも低い周波数を利用し、送信装置５１と受信装置５３の間で双方向通信を行う。
【００５８】
送信装置５１は、ＤＤＣチャンネル５９を介して、受信装置５３のＥ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）ＲＯＭ６３に記憶されているＥ−ＥＤＩＤを読取る。Ｅ−ＥＤＩＤは、受信装置５３に適用可能な映像フォーマットを示す識別情報を含んでいる。
【００５９】
例えば図９に示すように、フルハイビジョンテレビは、映像データのスケーリング処理により、表示領域Ａ１０上の所定の領域に対して最小解像度６４０×４８０〜最大解像度１９２０×１０８０からなる複数の映像フォーマットを適用し、映像情報を表示できる。映像フォーマットの識別情報は、各映像フォーマットの解像度、垂直同期周波数、アスペクト比等を含む。
【００６０】
図１０Ａに示すように、ＣＥＣライン６１は、スタートビット７１、ヘッダブロック７３、および１以上のデータブロック７５により構成されるデータを伝送する。データブロック７５は、４．５ｍｓで伝送されるスタートビット７１、およびヘッダ情報を含むヘッダブロック７３に後続するブロックであり、実際に伝送されるデータを含んでいる。
【００６１】
図１０Ｂおよび図１０Ｃに示すように、ヘッダブロック７３およびデータブロック７５は、８ビットのペイロードビット（ｂ０〜ｂ７）８１、９１、ＥＯＭ（Ｅｎｄ  Ｏｆ  Ｍｅｓｓａｇｅ）８３、９３、ＡＣＫ（Ａｃｋｎｏｗｌｅｄｇｅ）８５、９５により構成される。
【００６２】
ヘッダブロック７３には、送信装置５１の論理アドレス（４ビット）および受信装置５３の論理アドレス（４ビット）が指定される。データブロック７５には、オペコード、オペランド、パラメータ等が最大８ビットで指定される。データブロック７５により指定されるコマンドは、ヘッダブロック７３により指定されるアドレスに基づいて、送信装置５１から受信装置５３に伝送される。なお、コマンドを受信可能な全ての受信装置５３のアドレスを指定するブロードキャストアドレスも利用可能である。
【００６３】
図１１に示すように、ＣＥＣ規格は、イメージ表示コマンド＜Ｉｍａｇｅ  Ｖｉｅｗ  Ｏｎ＞、入力切替コマンド＜Ａｃｔｉｖｅ  Ｓｏｕｒｃｅ＞等、複数のコマンドを規定している。各コマンドは、オペコード名、オペコード値、パラメータ、および返信コマンドを含む。
【００６４】
送信装置５１は、各データブロック７５のペイロードビット９１にオペコード値およびパラメータを指定し、最終のデータブロックのＥＯＭビット９３およびＡＣＫビット９５を１に指定する。コマンドを受信すると、受信装置５３がＡＣＫビット９５を０に変更することで、送信装置５１は、データブロック７５の受信を確認する。
【００６５】
返信コマンドは、コマンドを受信した受信装置５３が送信装置５１に返信すべきコマンドである。例えば、受信装置５３は、電源状態照会コマンド＜Ｇｉｖｅ  Ｄｅｖｉｃｅ  Ｐｏｗｅｒ  Ｓｔａｔｕｓ＞を受信すると、電源状態報告コマンド＜Ｒｅｐｏｒｔ  Ｐｏｗｅｒ  Ｓｔａｔｕｓ＞により電源状態を受信装置５１に通知する。
【００６６】
つぎに、本実施形態に係る表示方法について説明する。図１２は、ＣＥＣの拡張コマンドを示す図である。図１３は、本発明の第１の実施形態に係る表示方法を示すシーケンス図である。図１４は、本実施形態に係る表示方法の他の例を示す図である。
【００６７】
図９に示した映像フォーマットに関して、ＴＶ１００の映像処理部１２９は、ＳＴＢ２００から入力された映像データの解像度、およびＳＴＢ２００により設定された映像フォーマットに応じて、映像データをスケーリング処理する。例えば、ハイビジョンテレビでは、通常、表示領域Ａ１０に対して解像度１９２０×１０８０の映像フォーマットが設定されている。そして、映像データの解像度が設定された映像フォーマットよりも小さい場合に、映像処理部１２９は、映像データを拡大処理して表示制御部１３３に出力する。
【００６８】
一方、本実施形態に係るＴＶ１００は、例えば３２０×２４０画素からなる部分表示領域Ａ１１に対して、前述した複数の映像フォーマットを適用し、映像データに対応する映像情報を表示する。
【００６９】
映像データの解像度が部分表示領域Ａ１１の画素数よりも大きくなる場合、映像処理部１２９は、映像データを縮小処理して表示制御部１３３に出力する。例えば３２０×２４０画素からなる部分表示領域Ａ１１に、ＶＧＡ解像度と称する映像フォーマット１（解像度６４０×４８０）を適用する場合、映像処理部１２９は、映像データを縦横１／２に縮小するようにスケーリング処理する。
【００７０】
そして、映像処理部１２９は、部分表示領域Ａ１１に縮小された映像データに対応する映像情報が表示され、部分表示領域Ａ１１以外の領域に任意の映像データまたは黒色の映像データに対応する映像情報が表示されるように映像データを生成する。これにより、表示制御部１３３には、全体表示モードと同様に、解像度１９２０×１０８０の映像データが出力される。
【００７１】
一般に、ＬＣＤテレビでは、黒色の映像データを供給される画素に駆動電圧を印加しないＶＡ（Ｖｅｒｔｉｃａｌ  Ａｌｉｇｎｍｅｎｔ）方式、ＩＰＳ（Ｉｎ−Ｐｌａｎｅ  Ｓｗｉｔｃｈｉｎｇ）方式のＬＣＤパネルが採用されている。このため、部分表示領域Ａ１１以外の領域に対応する画素に黒色の映像データを供給することで、駆動電圧による電力消費を抑制できる。また、部分表示領域Ａ１１以外の領域に対応する画素に黒色以外の映像データを供給することで、部分表示領域Ａ１１以外の領域に漏れた光を利用したグラデーションにより、部分表示領域Ａ１１の周囲で装飾的な表示効果が得られる。
【００７２】
また、図１１に示したＣＥＣコマンドに関して、ＣＥＣ規格では、ベンダーにより独自の拡張コマンドが設定できる。拡張コマンドでは、ベンダーＩＤおよびコマンドのオペコード値等が指定される。
【００７３】
図１２に示すように、拡張コマンドは、表示領域サイズ要求コマンド＜Ｇｉｖｅ  Ｄｉｓｐｌａｙ  Ａｒｅａ  Ｓｉｚｅ＞、表示領域サイズ報告コマンド＜Ｒｅｐｏｒｔ  Ｄｉｓｐｌａｙ  Ａｒｅａ  Ｓｉｚｅ＞を含む。また、拡張コマンドは、表示モード設定コマンド＜Ｓｅｔ  Ｄｉｓｐｌａｙ  Ａｒｅａ  Ｍｏｄｅ＞、表示モード要求コマンド＜Ｇｉｖｅ  Ｄｉｓｐｌａｙ  Ａｒｅａ  Ｍｏｄｅ＞、表示モード報告コマンド＜Ｒｅｐｏｒｔ  Ｄｉｓｐｌａｙ  Ａｒｅａ  Ｍｏｄｅ＞を含む。
【００７４】
例えば、ＳＴＢ２００は、表示領域サイズ要求コマンドにより表示領域サイズをＴＶ１００に要求し、ＴＶ１００は、表示領域サイズ報告コマンドにより表示領域サイズをＳＴＢ２００に報告する。また、ＳＴＢ２００は、表示モード要求コマンドにより表示モードをＴＶ１００に要求し、表示モード設定コマンドにより表示モードの設定をＴＶ１００に変更させる。一方、ＴＶ１００は、表示モード報告コマンドにより現在の表示モードをＳＴＢ２００に報告する。
【００７５】
以下では、図１３を参照しながら、本発明の第１の実施形態に係る表示方法について説明する。図１３に示すように、ユーザーがコマンダ上の起動ボタンを押すと（ステップＳ１１）、ＳＴＢ２００は、待機モードから標準モードに遷移する。ＳＴＢ２００は、待機モードでコマンダからの赤外線を受光するが、他の機能を低電力消費状態に維持しており、標準モードでＩＰＴＶサービス３００にアクセスするための機能を有効にする。
【００７６】
ＳＴＢ２００は、ＨＤＭＩ伝送部２１９によりイメージ表示コマンドをＴＶ１００に送信する(Ｓ１３)。ＴＶ１００は、イメージ表示コマンドを受信した時点で待機モードにあれば、標準モードに遷移する(Ｓ１５)。
【００７７】
ＳＴＢ２００は、イメージ表示コマンドの代わりにテキスト表示コマンドを利用してもよい。ＴＶ１００は、イメージ表示コマンドを受信すると、オンスクリーンディスプレイ（ＯＳＤ）上のメニュー表示を常にオフにするが、テキスト表示コマンドを受信すると、ＯＳＤ上のメニュー表示がオンである場合でもメニュー表示を維持する。
【００７８】
ＳＴＢ２００は、入力切替コマンドをＴＶ１００に送信する(Ｓ１７)。ＴＶ１００は、入力切替コマンドを受信すると、コマンドを送信したＳＴＢ２００から伝送される映像データを入力するようにＨＤＭＩ伝送部１２７による入力を切替える(Ｓ１９)。そして、ＴＶ１００は、入力された映像データに対応する映像情報とともに、ＳＴＢ２００のＧＵＩメニューを表示する。
【００７９】
ＳＴＢ２００は、オープンＩＰＴＶフォーラム仕様に準拠したＨＴＭＬブラウザを実装しており、ＥＰＧサービスおよびＶＯＤサービスのコンテンツメニューをＨＴＭＬ文書としてＩＰＴＶサービス３００から取得し、ＧＵＩメニューとしてＴＶ１００に表示させる。
【００８０】
ユーザーは、コマンダを利用して、コンテンツの選択等のインタラクションをＧＵＩメニュー上で行う（Ｓ２１）。これにより、ユーザーは、ＩＰＴＶサービス３００から映像配信サービスを受ける（Ｓ２３）。通常、コンテンツの視聴時には、全体表示モードでコンテンツの映像情報が表示される。
【００８１】
ユーザーがコマンダ上のスタンバイボタンを押すと（Ｓ２５）、ＳＴＢ２００は、コンテンツ視聴を行わない、受動的な情報取得を開始する。なお、スタンバイボタンは、コマンダ上に設けられる代わりに、ＧＵＩメニュー上に設けられてもよい。
【００８２】
ＳＴＢ２００は、ＨＤＭＩ伝送部２１９により表示領域サイズ要求コマンドをＴＶ１００に送信する（Ｓ２７）。ＴＶ１００は、コマンドを受信すると、自装置が適用可能な全ての表示モードについて、表示領域サイズ報告コマンドをＳＴＢ２００に返信する（Ｓ２９）。ＴＶ１００は、表示領域サイズ報告コマンドのパラメータとして、表示モード、および表示領域Ａ１０上の所定の領域の物理サイズを指定する。表示モードは、１バイトのパラメータであり、物理サイズは、ＬＣＤパネル１５１上の表示領域Ａ１０上の所定の領域の水平および垂直サイズ（ｍｍ単位）を２バイトで各々に表すパラメータである。
【００８３】
本実施形態では、ＴＶ１００は、全体表示モードおよび部分表示モードについて、表示領域サイズ報告コマンドをＳＴＢ２００に返信する。例えば、ＴＶ１００のＬＣＤパネル１５１が４６インチ（対角線上の寸法）の場合、ＳＴＢ２００は、全体表示モードについて、表示モード０、サイズ１０１６×５７２ｍｍ、部分表示モードについて、表示モード１、サイズ２２６×９５ｍｍを指定する。
【００８４】
ＳＴＢ２００は、表示領域サイズ報告コマンドを受信すると、部分表示モードのサポート状況および部分表示領域Ａ１１の物理サイズをＩＰＴＶサービス３００に送信する（Ｓ３１）。ＩＰＴＶサービス３００は、ＴＶ１００が部分表示モードをサポートしている場合に、部分表示モードによる表示に適切な論理解像度を選択してＳＴＢ２００に送信する。
【００８５】
より詳細に、ＳＴＢ２００は、実装しているＨＴＭＬブラウザにより、ＥＣＭＡスクリプトの拡張アプリケーションプログラムインターフェース（ＡＰＩ）としてメソッドを設ける。メソッドは、ＴＶ１００から取得された表示モードに関する情報（各表示領域の物理サイズ、適用可能な論理解像度）の読出しおよび設定を可能にする。適用可能な論理解像度は、図９に示す各映像フォーマットに対応し、ＣＥＣライン６１を介してＴＶ１００から受信される。
【００８６】
ＥＣＭＡスクリプトにより記述されたアプリケーションは、ＡＰＩから情報を取得し、取得した情報をＸＭＬ  ＨＴＴＰのリクエストメソッドによりＩＰＴＶサービス３００に通知する（Ｓ３３）。ＩＰＴＶサービス３００は、例えば、部分表示領域Ａ１１が３２０×２４０画素からなるので、最も近似するＶＧＡ解像度６４０×４８０を適切な論理解像度としてアプリケーションに返信する。
【００８７】
ＳＴＢ２００は、ＩＰＴＶサービス３００が指定した論理解像度に対応する表示モードを表示モード設定コマンドによりＴＶ１００に通知する（Ｓ３５）。表示モード設定コマンドでは、表示領域サイズ報告コマンドにより報告された表示モードのいずれかが指定され、本実施形態では、部分表示モードとして表示モード１が指定される。また、ＳＴＢ２００は、ＡＰＩを介して指定されたＶＧＡ解像度６４０×４８０に対応する映像信号が出力されるようにグラフィック制御部２１１を設定する。
【００８８】
ＳＴＢ２００から表示モード設定コマンドを受信すると、ＴＶ１００は、表示モードを部分表示モードに変更する（Ｓ３７）。ＴＶ１００は、部分表示領域Ａ１１に表示する映像データを、ＳＴＢ２００を介してＩＰＴＶサービス３００から受信する。表示制御部１３３は、部分表示領域Ａ１１に表示するために、スケーリング処理された映像データをディスプレイ１３５に供給する。
【００８９】
バックライト制御部１４１は、部分表示領域Ａ１１に対応するランプ１５６のインバータ回路１４７に通常の電源供給を行い、部分表示領域Ａ１１以外の領域に対応するランプ１５６のインバータ回路１４７に対する電源供給を抑制する。これにより、ユーザーは、コンテンツの映像情報の表示を伴わずに、メッセージ受信等、受動的な情報取得を行うことができる（Ｓ３９）。
【００９０】
なお、ＳＴＢ２００は、表示モード０を指定する表示領域設定コマンドにより、表示モードの設定を全体表示モードに変更できる。例えば、ユーザーがメッセージ受信の確認後に、メッセージ返信を指示した場合、またはコンテンツの視聴を指示した場合に、ＳＴＢ２００は、表示モードの設定を全体表示モードに変更する。
【００９１】
ここで、ＩＰＴＶサービス３００は、図１４に示すように、部分表示領域Ａ１１の物理サイズおよび論理解像度に応じて、部分表示領域Ａ１１に表示される映像情報の文字サイズ、レイアウト等を調整し、調整後の画像情報をＴＶ１００に表示させるためのＨＴＭＬ文書を生成することができる。ＳＴＢ２００は、ＨＴＭＬ文書を受信し、受動的な情報取得を行う対話型サービスをユーザーに提供する。
【００９２】
例えば、４６インチのＬＣＤパネル１５１で、部分表示領域Ａ１１の物理サイズに応じて、映像情報の文字サイズを調整する場合について説明する。ＬＣＤパネル１５１が１９２０×１０８０画素からなり、部分表示領域用に入力される映像フォーマットの解像度が６４０×４８０であり、全体表示モードで文字判読に適した標準フォントの縦サイズが３６画素である場合を想定する。
【００９３】
ここで、表示領域Ａ１０の物理サイズが１０１６×５７２ｍｍ、部分表示領域Ａ１１およびＡ１１’の物理サイズが３０２×２２６ｍｍおよび６０４×４５２ｍｍであれば、部分表示領域Ａ１１、Ａ１１’で文字判読に適したフォントのサイズは、以下のとおり求められる。
【００９４】
ｈｆ’＝ｈｆ×（ｒｖ’／ｒｖ）×（ｓｖ／ｓｖ’）
ｈｆ、ｈｆ’：全体表示モード、部分表示モードのフォントの縦サイズ（画素）
ｒｖ、ｒｖ’：表示領域Ａ１０、部分表示領域Ａ１１の縦解像度（画素）
ｓｖ、ｓｖ’：表示領域Ａ１０、部分表示領域Ａ１１の縦サイズ（ｍｍ）
領域Ａ１１：３６×（４８０／１０８０）×（１０１６／２２６）＝７２画素
領域Ａ１１’：３６×（４８０／１０８０）×（１０１６／４５２）＝３６画素
【００９５】
これにより、部分表示領域Ａ１１の論理解像度および物理サイズに基づいて映像情報が調整されるので、部分表示領域Ａ１１に適当な映像情報を表示できる。なお、画像サイズについても文字サイズと同様に求めることができる。さらに、文字サイズおよび画像サイズの変更により、部分表示領域Ａ１１に余白が生じた場合には、例えば時刻情報、天候情報等の情報を表示できる。
【００９６】
［３−３．まとめ］
以上説明したように、本実施形態によれば、受動的な情報取得を行う場合に、対話型サービスの映像情報を部分表示領域Ａ１１に表示し、部分表示領域Ａ１１以外の領域に関する表示機能の実行を抑制することで、不要な映像情報の表示が抑制される。また、部分表示領域Ａ１１以外で、バックライトの出力を抑制し、および／または画素の駆動電圧を抑制可能な画像データを生成することで、ＴＶ１００の消費電力も削減される。
【００９７】
［４．第２の実施形態］
図１５は、本発明の第２の実施形態に係る表示方法の一例を示す図である。図１５に示すように、第２の実施形態に係るＴＶ１００’は、主画面表示モード、副画面表示モード、および全画面表示モードからなる３の表示モードを有する。ディスプレイ１３５の表示領域は、コンテンツが表示される主画面表示領域Ａ２１、およびメッセージ受信状況等が表示される副画面表示領域Ａ２２に区分される。例えば、主画面表示領域Ａ２１は、１９２０×１０８０画素からなり、副画面表示領域Ａ２２は、１９２０×１２０画素からなる。
【００９８】
主画面表示モード（ａ）では、主画面表示領域Ａ２１に映像情報が表示され、副画面表示モード（ｂ）では、副画面表示領域Ａ２２に映像情報が表示され、全画面表示モード（ｃ）では、主画面表示領域Ａ２１および副画面表示領域Ａ２２に映像情報が表示される。
【００９９】
ＴＶ１００’は、表示モードの変更をＳＴＢ２００から指示されると、ＣＰＵ１０１の制御により表示モードを変更する。ＳＴＢ２００は、コンテンツ視聴のみを行う場合に主画面表示モードを指示し、受動的な情報取得のみを行う場合に副画面表示モードを指示し、コンテンツ視聴および受動的な情報取得を行う場合に全画面表示モードを指示する。
【０１００】
そして、ＴＶ１００’は、主画面表示モードでは、主画面表示領域Ａ２１に対応するバックライトの出力および画素の駆動のみを行い、副画面表示モードでは、副画面表示領域Ａ２２に対応するバックライトの出力および画素の駆動のみを行う。なお、主画面表示モード時の副画面表示領域Ａ２２、および副画面表示モード時の主画面表示領域Ａ２１では、バックライトの出力が抑制されてもよく、０とされてもよい。
【０１０１】
［４−１．表示装置］
図１６は、本発明の第２の実施形態に係るＴＶ１００’のＬＣＤパネル１５１’周辺の構成を示す平面図である。図１７は、図１６に示す構成を示す部分断面図（断面Ａ−Ａ）である。図１８は、ＬＣＤパネル１５１’周辺の回路構成を示すブロック図である。
【０１０２】
ＬＣＤパネル１５１’は、１のガラス基板からなり、ＬＣＤパネル１５１’と背面シャーシ１５９の間に設けられた遮光板１６１により主画面表示領域Ａ２１および副画面表示領域Ａ２２に区分される。主画面表示領域Ａ２１では、低コストのランプ群１５５が直下方式のバックライトとして機能し、副画面表示領域Ａ２２では、耐用期間の長いＬＥＤ群１６３がエッジライト方式のバックライトとして機能する。
【０１０３】
ＬＣＤパネル１５１’のうち主画面表示領域Ａ２１では、第１の実施形態の場合と同様に、ＬＣＤパネル１５１’の背面に光学フィルム１５３、ランプ群１５５、および反射板１５７が配置される。一方、副画面表示領域Ａ２２では、ＬＣＤパネル１５１’の背面に光学フィルム１５３、ＬＥＤ群１６３、導光板１６５、および反射板１５７が配置される。
【０１０４】
ＬＥＤ群１６３は、遮光板１６１側に配置され、アクリル板等からなる導光板１６５は、ＬＥＤ群１６３の光を副画面表示領域Ａ２２全体に導くように配置される。なお、ＬＥＤ群１６３は、遮光板１６１側以外に配置されてもよい。遮光板１６１は、ランプ群１５５の光とＬＥＤ群１６３の光の光学的な干渉を防止する。
【０１０５】
ランプ群１５５を構成する各ランプ１５６は、第１の実施形態の場合と同様に、調光信号に基づいてインバータ回路１４７により駆動される。また、ＬＥＤ群１６３も、ランプ１５６と同様に、調光信号に基づいてインバータ回路１４７により駆動される。つまり、主画面表示モードでは、ランプ群１５５の各ランプ１５６のインバータ回路１４７に電源が供給され、副画面表示モードでは、ＬＥＤ群１６３のインバータ回路１４７に電源が供給され、全画面表示モードでは、ランプ群１５５の各ランプ１５６およびＬＥＤ群１６３のインバータ回路１４７に電源が供給される。
【０１０６】
これにより、主画面表示領域Ａ２１および副画面表示領域Ａ２２の画素が１のガラス基板からなる表示パネル１５１’上に配置されることで、表示パネル１５１’上の画素の製造が容易となる。また、副画面表示領域Ａ２２の利用頻度に応じて、適当な光源をバックライトとして採用可能であり、特にＬＥＤ群１６５を採用することでバックライトを長寿命化できる。なお、本実施形態では、ＬＣＤ方式のテレビの場合について説明するが、有機ＥＬディスプレイの場合も同様に説明できる。
【０１０７】
図１８に示すように、ＬＣＤパネル１５１’には、水平方向に配列されたラインＹ１〜Ｙｍのゲート電極（不図示）を駆動するゲート駆動回路１７１、および垂直方向に配列されたラインＸ１〜Ｘｍのソース電極（不図示）を駆動するソース駆動回路１７３が配置されている。
【０１０８】
表示制御部１３３は、映像処理部１２９から入力される映像信号に基づいて、ゲート駆動用のゲートタイミング信号およびソース駆動用の映像データを生成する。駆動電圧生成回路１７５は、ＣＰＵ１０１の制御下で、電源供給部１４３からゲート駆動回路１７１およびソース駆動回路１７３に電源供給する。駆動電圧生成回路１７５は、主画面用および副画面用のゲート駆動電圧をゲート駆動回路１７１に供給し、ソース駆動電圧および階調基準電圧をソース駆動回路１７３に供給する。
【０１０９】
ゲート駆動回路１７１およびソース駆動回路１７３により各画素のアクティブ素子に駆動電圧が印加され、駆動電圧の変化に応じて画素を通過するバックライト光が変化することで、ＬＣＤパネル１５１’に映像情報が表示される。なお、各画素には、ＲＧＢのカラーフィルタを伴う３のＬＣＤ画素が設けられている。
【０１１０】
本実施形態に係るＴＶ１００’では、ＣＰＵ１０１’は、表示モードに応じて、ゲート駆動回路１７１に対するゲートタイミング信号および駆動電圧の供給を制御する。
【０１１１】
具体的に、主画面表示モードでは、主画面表示領域Ａ２１に対応するラインＹ１〜Ｙｎの画素を駆動するために、対応するゲート駆動回路１７１に駆動電圧が供給される。副画面表示モードでは、副画面表示領域Ａ２２に対応するラインＹｎ＋１〜Ｙｍの画素を駆動するために、対応するゲート駆動回路１７１に駆動電圧が供給される。また、全画面表示モードでは、主画面表示領域Ａ２１および副画面表示領域Ａ２２に対応するラインＹ１〜Ｙｍの画素を駆動するために、全てのゲート駆動回路１７１に駆動電圧が供給される。
【０１１２】
ＣＰＵ１０１’は、指定された表示モードに応じて、適切なソース駆動電圧を生成するように駆動電圧生成回路１７５を制御するとともに、適切なゲートタイミング信号を生成するように表示制御部１３３を制御する。
【０１１３】
［４−２．表示方法］
図１９は、図１８に示すゲート駆動回路１７１の一例を示す図である。ＬＣＤパネル１５１’には、主画面用の第１〜第４のゲート駆動回路１７１ａ〜１７１ｄ、および副画面用の第５のゲート駆動回路１７１ｅが配置されている。
【０１１４】
各ゲート駆動回路１７１ａ〜１７１ｅは、最大２７０のゲート電極Ｏに駆動電圧を順次に印加するために、２７０ビットのシフトレジスタ１７２を有する。シフトレジスタ１７２を用いて、主画面表示領域Ａ２１をなす１０８０ライン分の画素が第１〜第４のゲート駆動回路１７１ａ〜１７１ｄにより駆動され、副画面表示領域Ａ２２をなす１２０ライン分の画素が第５のゲート駆動回路１７１ｅにより駆動される。
【０１１５】
第１〜第４のゲート駆動部１７１ａ〜１７１ｄは、開始パルスの入力をトリガーとし、ゲートクロックに同期してシフトレジスタ１７２をシフトすることで、ゲート電極Ｏ１〜Ｏ２７０に駆動電圧を順次に印加する。第１〜第４のゲート駆動回路１７１ａ〜１７１ｄは、カスケード接続されており、主画面用の駆動電力がオンの場合に、主画面用の開始パルスが入力されると、主画面表示領域Ａ２１をなす１０８０ライン分のゲート電極に駆動電圧が順次に印加される。
【０１１６】
また、第５のゲート駆動回路１７１ｅは、開始パルスの入力をトリガーとし、ゲートクロックに同期してシフトレジスタ１７２をシフトすることで、ゲート電極Ｏ１〜Ｏ１２０に駆動電圧を順次に印加する。第５のゲート駆動回路１７１ｅでは、副画面用の開始パルスが第４のゲート駆動回路１７１ｄのシフトアップ信号とＯＲ演算１７７され、演算結果が副画面用の開始パルスとして利用される。
【０１１７】
つまり、主画面用および副画面用の駆動電力がオンの場合には、主画面表示領域Ａ２１の１０８０ライン分のゲート電極に続いて、副画面表示領域Ａ２２の１２０ライン分のゲート電極に駆動電圧が順次に印加される。一方、主画面用の駆動電力がオフで、副画面用の駆動電力がオンの場合には、副画面用の開始パルスが入力されると、副画面表示領域Ａ２２の１２０ライン分のゲート電極に駆動電圧が順次に印加される。
【０１１８】
図２０、図２１、および図２２は、主画面表示モード、副画面表示モード、および全画面表示モードのゲート駆動走査を示すタイミング図である。図２０〜図２２には、表示制御部１３３で生成される垂直同期信号、開始パルス、およびゲートクロック、駆動電圧生成回路１７５で生成されるゲート駆動電圧、およびゲート駆動出力が示されている。
【０１１９】
各画面表示モードでは、例えば図９に示した各映像フォーマットに対して次の画素が利用される。
・主画面表示モード：１９２０×１０８０画素（ハイビジョン解像度）
・副画面表示モード：１９２０×  １２０画素（特殊解像度）
・全画面表示モード：１９２０×１２００画素（ＷＵＸＧＡ解像度）
【０１２０】
なお、映像データは、内部垂直同期５９．９４ＨｚでＨＤＭＩ入力され、表示制御部１３３は、映像データと同様に、５９．９４Ｈｚの垂直同期信号を生成する。表示制御部１３３は、ゲートタイミング信号をゲート駆動回路１７１に供給するとともに、各ゲート電極に対する駆動電圧の印加タイミングで、ドットクロックに同期して映像データをソース駆動回路１７３に供給する。
【０１２１】
主画面表示モードでは、主画面用のゲート駆動電力がオンにされ、副画面用のゲート駆動電力がオフにされる。そして、図２０に示すように、水平同期６７．４３ｋＨｚのゲートクロックがゲート駆動回路１７１に供給される。なお、主画面表示モードでは、表示有効ライン数が１０８０ラインであるが、総走査ライン数が１１２５ラインとなる。
【０１２２】
第１のゲート駆動回路１７１ａには、垂直同期信号に同期して、主画面用の開始パルスが入力される。開始パルスが入力されると、カスケード接続された第１〜第４のゲート駆動回路１７１ａ〜１７１ｄは、ゲートクロックに同期してシフトレジスタ１７２をシフトしながら、ゲート電極に駆動電圧を順次に印加する。
【０１２３】
副画面表示モードでは、副画面用のゲート駆動電力がオンにされる。そして、図２１に示すように、水平同期７．４９ｋＨｚのゲートクロックがゲート駆動回路１７１に供給される。なお、副画面表示モードでは、表示有効ライン数が１２０ラインであるが、総走査ライン数が１２４ラインとなる。
【０１２４】
第５のゲート駆動回路１７１ｅには、垂直同期信号に同期して、副画面用の開始パルスが入力される。開始パルスが入力されると、第５のゲート駆動回路１７１ｅは、ゲートクロックに同期してシフトレジスタ１７２をシフトしながら、ゲート電極に駆動電圧を順次に印加する。
【０１２５】
全画面表示モードでは、主画面用および副画面用のゲート駆動電力がオンにされる。そして、図２２に示すように、水平同期７４．５６ｋＨｚのゲートクロックがゲート駆動回路１７１に供給される。なお、全画面表示モードでは、表示有効ライン数が１２００ラインであるが、総走査ライン数が１２４５ラインとなる。
【０１２６】
第１のゲート駆動回路１７１ａには、垂直同期信号に同期して、主画面用の開始パルスが入力される。開始パルスが入力されると、カスケード接続された第１〜第４のゲート駆動回路１７１ａ〜１７１ｄは、ゲートクロックに同期してシフトレジスタ１７２をシフトしながら、ゲート電極に駆動電圧を順次に印加する。そして、第５のゲート駆動回路１７１ｅは、第４のゲート駆動回路１７１ｄのシフトアップ信号がＯＲ演算１７７されて入力されると、ゲートクロックに同期してシフトレジスタ１７２をシフトしながら、ゲート電極に駆動電圧を順次に印加する。
【０１２７】
これにより、副画面表示モードでは、主画面用のバックライトの出力を抑制するとともに、主画面用のソース駆動回路１７１ａ〜１７１ｄによる駆動電圧を抑制することで、ＴＶ１００’の消費電力をさらに削減できる。なお、上記説明では、ゲート駆動回路１７１による駆動電圧の供給を制御する場合について説明したが、コモン電圧の供給を制御してもよい。
【０１２８】
［４−３．まとめ］
以上説明したように、本実施形態によれば、受動的な情報取得を行う場合に、対話型サービスの映像情報を副画面表示領域Ａ２２に表示し、副画面表示領域Ａ２２以外の主画面表示領域Ａ２１に関する表示機能の実行を抑制することで、不要な映像情報の表示が抑制される。また、主画面表示領域Ａ２１で、バックライトの出力を抑制し、画素の駆動を実行しないように制御することで、ＴＶ１００’の消費電力も削減される。
【０１２９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１３０】
例えば上記実施形態の説明では、ＨＤＭＩの高速デジタル伝送を利用して映像信号を伝送する場合について説明した。しかし、映像信号の高速伝送を必要としない場合、部分表示領域モードまたは副表示領域モードでは、ＡＶＩ  Ｉｎｆｏ（Ａｕｘｉｌｌａｒｙ  Ｖｉｄｅｏ  Ｉｎｆｏｒｍａｔｉｏｎ）フレームを利用して映像信号を伝送してもよい。この場合、高速デジタル伝送を利用しないので、ＨＤＭＩ伝送による電力消費を削減できる。
【０１３１】
また、上記実施形態の説明では、映像表示システムがＨＤＭＩ接続されるＴＶ１００、１００’とＳＴＢ２００を含んで構成される場合について説明した。しかし、映像表示システムは、ＩＰＴＶのＳＴＢ機能を内蔵したＴＶを含んで構成されてもよい。
【０１３２】
また、上記実施形態の説明では、ＴＶ１００、１００’がＬＣＤ方式のテレビである場合について説明した。しかし、ＴＶ１００、１００’がプラズマディスプレイや有機ＥＬディスプレイの場合でも、表示領域の一部の領域で表示機能の実行を抑制することで、ＴＶ１００、１００’の消費電力を削減できる。
【０１３３】
なお、上記第１の実施形態では、１の部分表示領域Ａ１１が設定される場合について説明したが、２以上の部分表示領域Ａ１１が設定されてもよい。また、２以上の部分表示領域Ａ１１が互いに異なる画素数で設定されてもよい。この場合、ＣＥＣコマンドの拡張により、部分表示領域Ａ１１の画素数および／または表示領域Ａ１０上の位置が設定されてもよい。
【０１３４】
上記第２の実施形態では、ＨＤＭＩ入力された映像フォーマットと同じ解像度の映像データを用いて、各表示モードで映像情報を表示する場合について説明した。しかし、スケーリング処理により、ＨＤＭＩ入力された映像フォーマットと異なる解像度の映像データを用いて、各表示モードで映像情報を表示してもよい。
【０１３５】
また、主画面表示領域Ａ２１および副画面表示領域Ａ２２にメッセージ受信状況等およびコンテンツの映像情報が各々に表示されてもよい。また、例えばＴＶ１００’またはＳＴＢ２００上で実行される他のアプリケーションのＧＵＩメニューが表示されてもよい。さらに、主画面表示領域Ａ２１および副画面表示領域Ａ２２を利用して、１の映像情報が表示されてもよい。
【符号の説明】
【０１３６】
１００、１００’    ＴＶ
１０１、１０１’    ＣＰＵ
１２７    ＨＤＭＩ伝送部
１３５    ディスプレイ
２００    ＳＴＢ
Ａ１０    表示領域
Ａ１１    部分表示領域
Ａ２１    主画面表示領域
Ａ２２    副画面表示領域
【図１】
2011030081.tif 000003
【図２】
2011030081.tif 000004
【図３】
2011030081.tif 000005
【図４】
2011030081.tif 000006
【図５】
2011030081.tif 000007
【図６】
2011030081.tif 000008
【図７】
2011030081.tif 000009
【図８】
2011030081.tif 000010
【図９】
2011030081.tif 000011
【図１０Ａ】
2011030081.tif 000012
【図１０Ｂ】
2011030081.tif 000013
【図１０Ｃ】
2011030081.tif 000014
【図１１】
2011030081.tif 000015
【図１２】
2011030081.tif 000016
【図１３】
2011030081.tif 000017
【図１４】
2011030081.tif 000018
【図１５】
2011030081.tif 000019
【図１６】
2011030081.tif 000020
【図１７】
2011030081.tif 000021
【図１８】
2011030081.tif 000022
【図１９】
2011030081.tif 000023
【図２０】
2011030081.tif 000024
【図２１】
2011030081.tif 000025
【図２２】
2011030081.tif 000026